(57)【特許請求の範囲】
【請求項１】
コンピュータ支援設計の各検証段階で使用した設計情報を自動的にデータベースに格納し、不具合が発生した際、前記設計情報から設計した部位を特定し、その設計担当者へ自動的に電子メールで不具合情報を送信する不具合情報報告システムであって、
プロジェクト毎に識別情報を発行するプロジェクト情報発行装置と、
予め指定されたコンピュータ支援設計装置の検証コマンドが実行されると、検証に使用された設計情報を抽出する検証情報抽出装置と、
該検証情報から抽出した情報を各プロジェクト別に格納し、格納した内容を検索する検証情報格納・検索装置と、
電子メールで送出された不具合情報を電子メールで受取り、自動的に不具合情報として格納し、格納した内容を検索できる不具合情報格納・検索装置と、
該不具合情報格納・検索装置で情報が更新される度に、更新された不具合情報に関連するプロジェクトを前記検証情報格納・検索装置から検索し、指定されたアドレスへ電子メールで不具合情報を送付する不具合情報報告装置とを有し、
不具合情報が登録されると自動的に、過去の対象プロジェクトを設計情報格納装置から抽出し、不具合情報を指定されたアドレスに自動的に電子メールで報告することを特徴とするコンピュータ支援設計用不具合情報報告システム。
【請求項２】
前記不具合情報が、設計ツールに不具合がある場合は、システム名、ツール名、バージョン名を含む設計ツール不具合情報であることを特徴とする請求項１に記載のコンピュータ支援設計用不具合情報報告システム。
【請求項３】
前記不具合情報が、使用したライブラリに不具合がある場合は、シリーズ名、ライブラリ種別、ライブラリ名、バージョン名を含むライブラリ不具合情報であることを特徴とする請求項１に記載のコンピュータ支援設計用不具合情報報告システム。
【請求項４】
前記不具合情報が、ドキュメントに不具合がある場合は、ドキュメント名、レビジョン名を含むドキュメント不具合情報であることを特徴とする請求項１に記載のコンピュータ支援設計用不具合情報報告システム。
【請求項５】
前記不具合情報報告装置が、前記不具合情報をインターネットウェブ上で公開するためのデータを作成することを特徴とする請求項１乃至４のいずれかに記載のコンピュータ支援設計用不具合情報報告システム。
【発明の詳細な説明】
【０００１】
【発明の属する技術分野】
本発明は、コンピュータ支援設計用不具合情報報告システムに係り、特に、大規模集積回路（ＬＳＩ）の設計に用いるのに好適な、不具合の内在するプロジェクトを迅速に知って、その検証と解決を図ることが可能な、コンピュータ支援設計用不具合情報報告システムに関する。
【０００２】
【従来の技術】
ＬＳＩ設計用のコンピュータ支援設計（ＣＡＤ）装置の設計システム、あるいは、使用したツール、セルライブラリ、セルやマクロ等の回路に埋め込む設計資産（ＩＰ）に致命的な問題が後でみつかった場合、過去に設計した回路に対して、同様の問題が無いか調べ、問題が内在する場合には、必要に応じてチップを作り直す必要がある場合がある。
【０００３】
過去に遡って不具合の内在する回路を調べる場合、従来は、ドキュメントあるいは実際のネットリストから、使用したマクロ情報、又、設計期間から、使用した設計システムのバージョン、セルライブラリのバージョンを手作業で調べていた。又、ネットリスト等がディスク上に存在しない場合は、ディスク上にリストアして、同様に調べていた。更に、現在設計中の回路については、設計担当者に通知し、問題のあるライブラリ等を使用していないか確認していた。
【０００４】
【発明が解決しようとする課題】
しかしながら従来の方法では、不具合が内在するプロジェクトを迅速に調べることが困難であった。
【０００５】
本発明は、前記従来の問題点を解消するべくなされたもので、不具合の内在するプロジェクトを迅速且つ容易に知ることができるようにすることを課題とする。
【０００６】
【課題を解決するための手段】
本発明は、コンピュータ支援設計の各検証段階で使用した設計情報を自動的にデータベースに格納し、不具合が発生した際、前記設計情報から設計した部位を特定し、その設計担当者へ自動的に電子メールで不具合情報を送信する不具合情報報告システムであって、プロジェクト毎に識別情報を発行するプロジェクト情報発行装置と、予め指定されたコンピュータ支援設計装置の検証コマンドが実行されると、検証に使用された設計情報を抽出する検証情報抽出装置と、該検証情報から抽出した情報を各プロジェクト別に格納し、格納した内容を検索する検証情報格納・検索装置と、電子メールで送出された不具合情報、設計ツールに不具合がある場合は設計ツール不具合情報を電子メールで受取り、自動的に不具合情報として格納し、格納した内容を検索できる不具合情報格納・検索装置と、該不具合情報格納・検索装置で情報が更新される度に、更新された不具合情報に関連するプロジェクトを前記検証情報格納・検索装置から検索し、指定されたアドレスへ電子メールで不具合情報を送付する不具合情報報告装置とを有し、不具合情報が登録されると自動的に、過去の対象プロジェクトを設計情報格納装置から抽出し、不具合情報を指定されたアドレスに自動的に電子メールで報告するようにして、前記課題を解決したものである。
【０００７】
又、前記不具合情報を、設計ツールに不具合がある場合は、システム名、ツール名、バージョン名を含む設計ツール不具合情報としたものである。
【０００８】
又、前記不具合情報を、使用したライブラリに不具合がある場合は、シリーズ名、ライブラリ種別、ライブラリ名、バージョン名を含むライブラリ不具合情報としたものである。
【０００９】
又、前記不具合情報を、ドキュメントに不具合がある場合は、ドキュメント名及びレビジョン名を含むドキュメント不具合情報としたものである。
【００１０】
又、前記不具合情報報告装置が、前記不具合情報をインターネットのウェブ上で公開するためのデータを作成するようにして、不具合状況をウェブ上で知ることができるようにしたものである。
【００１１】
【発明の実施の形態】
以下図面を参照して、本発明の実施形態を詳細に説明する。
【００１２】
本実施形態は、図１に示す如く、例えばＬＳＩ設計用のＣＡＤ装置１０に関して、プロジェクト毎に識別情報を発行するプロジェクト情報発行装置２０と、予め指定されたＣＡＤ装置１０の検証コマンドが実行されると、検証に使用されたセルとマクロ情報及び設計システム情報（設計情報と総称する）を抽出する検証情報抽出装置２２と、該検証情報から抽出した情報を各プロジェクト別に格納し、格納した内容を検索する検証情報格納・検索装置２４と、電子メールで送出された不具合情報（設計ツールに不具合がある場合はシステム名、ツール名、バージョン名を含む設計ツール不具合情報、使用したライブラリに不具合がある場合は、シリーズ名、ライブラリ種別、ライブラリ名、バージョン名を含むライブラリ不具合情報、ドキュメントに不具合がある場合は、ドキュメント名、レビジョン名を含むドキュメント不具合情報）を、それぞれ電子メールで受取り、自動的に不具合情報として格納し、格納した内容を検索できる不具合情報格納・検索装置３０と、該不具合情報格納・検索装置３０で情報が更新される度に、更新された不具合情報に関連するプロジェクトを前記検証情報格納・検索装置２４から検索し、指定されたアドレスへ電子メールで不具合情報を送付すると共に、ウェブ（ＷＥＢ）上で公開するデータ（例えばＨＴＭＬデータ）を作成する不具合情報報告装置４０とを備えている。
【００１３】
以下、本実施形態の作用を説明する。
【００１４】
まず、新規プロジェクトが発生すると、前記プロジェクト情報発行装置２０により、例えば図２に示すような、プロジェクト識別コード、宛先、写しの送付先を含むプロジェクト情報が発行される。
【００１５】
次いで、ＣＡＤ装置１０等の設計システムの検証用コマンドが実行されると、検証に使用されたセルとマクロ情報及び設計システム情報を、前記検証情報抽出装置２２が抽出し、前記検証情報格納・検索装置２４に送る。プロジェクト毎に発行される検証情報の例を図３に示す。ここで、５行目のＣＯＭＭＡＮＤ（Ｖｅｒ）は、検証用コマンドとそのバージョンを示し、６行目のＳＹＳＴＥＭ（Ｖｅｒ）は、使用システムとそのバージョンを示し、７行目のＬＩＢ（Ｖｅｒ）は、使用ライブラリとそのバージョンを示し、ＭＡＣＲＯ（Ｖｅｒ）は、使用マクロとそのバージョンを示す。
【００１６】
次いで、前記検証情報格納・検索装置２４は、図３に示したような検証情報を、プロジェクト識別コード別に格納する。
【００１７】
ユーザや開発元等で不具合情報が発生し、電子メールで送られてくると、前記不具合情報格納・検索装置３０は、該不具合情報を、例えば図４に示すような電子メールで、該不具合情報格納・検索装置３０が監視するメールアドレスへ送出する。図４において、１行目は格納先メールアドレス、下から３行目はバージョン３．０２以下のツールで問題が発生していること、下から２行目はその問題が致命的であること、最終行は、問題レポートの参照先を示す。
【００１８】
前記不具合情報格納・検索装置３０は、処理の結果を、例えば図５に示すような不具合情報として、自身のデータベースへ格納する。
【００１９】
前記不具合情報報告装置４０は、前記不具合情報格納・検索装置３０の内容が更新されると、前記検証情報格納・検索装置２４を参照し、追加又は更新された不具合情報に該当するプロジェクト名を検索し、登録された指定アドレスに、図６で示すような電子メールを送付すると共に、その内容を、例えばＨＴＭＬ形式等のウェブで閲覧可能な形式に変換して、ウェブで閲覧可能とする。
【００２０】
図６の電子メールでは、古いツールを使っている担当者２名に不具合情報を送ると共に、その写しを管理者にも送っている。
【００２１】
なお、前記実施形態においては、本発明が、ＬＳＩ設計用のＣＡＤ装置に適用されていたが、本発明の適用対象はこれに限定されず、一般のＣＡＤ装置にも同様に適用可能である。
【００２２】
【発明の効果】
本発明によれば、システムに不具合が発生した場合等、自動的に不具合を含む可能性のあるプロジェクトを報告することで、迅速に不具合の検証と解決を実施可能となる。
【図面の簡単な説明】
【図１】本発明に係るＬＳＩ設計用不具合情報報告システムの実施形態の構成を示すブロック図
【図２】前記実施形態におけるプロジェクト情報の例を示す線図
【図３】同じく検証情報の例を示す線図
【図４】同じく電子メールで送られる不具合情報の例を示す線図
【図５】同じく不具合情報格納・検索装置に格納される不具合情報の例を示す線図
【図６】同じく回路担当者や責任者に送られる電子メールの例を示す線図
【符号の説明】
１０…コンピュータ支援設計（ＣＡＤ）装置
２０…プロジェクト情報発行装置
２２…検証情報抽出装置
２４…検証情報格納・検索装置
３０…不具合情報格納・検索装置
４０…不具合情報報告装置
【図１】
0004605569.tif 000002
【図２】
0004605569.tif 000003
【図３】
0004605569.tif 000004
【図４】
0004605569.tif 000005
【図５】
0004605569.tif 000006
【図６】
0004605569.tif 000007